(57)【要約】【課題】血液浄化治療に関わる一連の作業の自動化をより高めることができる血液浄化装置を提供する。【解決手段】動脈側血液回路２又は静脈側血液回路３の一部から分岐して透析液排出ラインＬ２まで延設され、当該動脈側血液回路２又は静脈側血液回路３を流れる流体を当該透析液排出ラインＬ２に導くことが可能とされたオーバーフローラインＬ３と、該オーバーフローラインＬ３の流路を任意開閉可能とされた電磁弁Ｖ５、Ｖ６（オーバーフローライン用開閉弁手段）と、血液ポンプ８及び電磁弁Ｖ５、Ｖ６を予め設定されたタイミングで制御する制御手段１２とを備えた血液浄化装置である。【選択図】図１
2010184029.tif 000002
【特許請求の範囲】
【請求項１】
血液浄化膜を内在し、血液を導入する血液導入口及び導入した血液を導出する血液導出口が形成されるとともに、透析液を導入する透析液導入口及び導入した透析液を排出する透析液排出口が形成され、前記血液浄化膜を介して前記血液に透析液を接触させて血液を浄化する血液浄化器と、
一端が前記血液浄化器の血液導入口に接続され、その途中において血液ポンプが配設された動脈側血液回路と、
一端が前記血液浄化器の血液導出口に接続された静脈側血液回路と、
前記血液浄化器の透析液導入口に接続され、前記血液浄化器に透析液を導入する透析液導入ラインと、
前記血液浄化器の透析液排出口に接続され、前記血液浄化器から透析液を排出する透析液排出ラインと、
を具備し、前記透析液導入ラインの透析液を前記動脈側血液回路及び静脈側血液回路に供給し得るよう構成された血液浄化装置であって、
前記動脈側血液回路又は静脈側血液回路の一部から分岐して前記透析液排出ラインまで延設され、当該動脈側血液回路又は静脈側血液回路を流れる流体を当該透析液排出ラインに導くことが可能とされたオーバーフローラインと、
該オーバーフローラインの流路を任意開閉可能とされたオーバーフローライン用開閉弁手段と、
前記血液ポンプ及びオーバーフローライン用開閉弁手段を予め設定されたタイミングで制御する制御手段と、
を備えたことを特徴とする血液浄化装置。
【請求項２】
前記動脈側血液回路又は静脈側血液回路の一部であって前記オーバーフローラインの分岐部と異なる部位と前記透析液導入ラインとの間を連結し、当該透析液導入ラインの透析液を当該動脈側血液回路又は静脈側血液回路に供給可能とされた補液ラインを具備したことを特徴とする請求項１記載の血液浄化装置。
【請求項３】
前記制御手段にて制御されるとともに、前記透析液導入ラインの透析液を前記動脈側血液回路又は静脈側血液回路に送液するための送液手段が補液ラインに配設されたことを特徴とする請求項２に記載の血液浄化装置。
【請求項４】
前記動脈側血液回路の先端と静脈側血液回路の先端とを連結した状態で、前記透析液導入ラインの透析液を当該動脈側血液回路及び静脈側血液回路に供給し、当該透析液を前記オーバーフローラインでオーバーフローさせてプライミング工程を行わせることを特徴とする請求項１〜３の何れか１つに記載の血液浄化装置。
【請求項５】
前記制御手段は、前記プライミング工程時、透析液の供給速度より低い速度で前記血液ポンプを駆動させることを特徴とする請求項４記載の血液浄化装置。
【請求項６】
前記血液浄化器が予め内部に充填液が充填されたものを用いる場合、前記血液ポンプを駆動させて当該充填液を前記補液ラインの前記動脈側血液回路又は静脈側血液回路との連結部まで充填させた後、当該補液ラインから透析液を供給するよう前記制御手段による制御がなされることを特徴とする請求項２〜５の何れか１つに記載の血液浄化装置。
【請求項７】
前記オーバーフローライン及び補液ラインは、血液浄化装置本体内部の内部流路と当該血液浄化装置本体外部の外部流路とをそれぞれ有するとともに、当該オーバーフローラインの内部流路と外部流路とを接続するオーバーフローライン用接続ポート、及び当該補液ラインの内部流路と外部流路とを接続する補液ライン用接続ポートがそれぞれ当該血液浄化装置本体に形成されたことを特徴とする請求項２〜６の何れか１つに記載の血液浄化装置。
【請求項８】
前記オーバーフローラインの外部流路と前記補液ラインの外部流路とを取り外した状態における前記オーバーフローライン用接続ポートと補液ライン用接続ポートとを連結する連結手段を具備したことを特徴とする請求項７記載の血液浄化装置。
【請求項９】
前記連結手段は、前記オーバーフローライン用接続ポート及び補液ライン用接続ポートを含んで前記血液浄化装置本体側に形成された凹部と、該凹部を密閉状態で覆うことが可能な蓋部と、を有することを特徴とする請求項８記載の血液浄化装置。
【請求項１０】
前記蓋部は、揺動操作又はスライド操作により前記凹部を密閉状態で覆った位置と当該凹部を開放した位置との間で動作し得ることを特徴とする請求項９記載の血液浄化装置。
【請求項１１】
前記オーバーフローライン用接続ポートと補液ライン用接続ポートとを前記連結手段で連結した状態から開放するとき、当該連結部を陰圧状態とし得る陰圧発生手段を具備したことを特徴とする請求項８〜１０の何れか１つに記載の血液浄化装置。
【発明の詳細な説明】
【技術分野】
【０００１】
本発明は、動脈側血液回路及び静脈側血液回路にて患者の血液を体外循環させるとともに、当該動脈側血液回路及び静脈側血液回路に接続された血液浄化器にて体外循環する血液を浄化するための血液浄化装置に関するものである。
【背景技術】
【０００２】
近時において、血液浄化装置としての透析装置では透析治療時においてダイアライザに供給するための透析液を用いてプライミング、返血及び補液を行う技術が提案されるに至っている。例えば特許文献１においては、動脈側血液回路先端と静脈側血液回路先端とを接続した後、ダイアライザに透析液を供給して、その透析膜を逆濾過した透析液を血液回路中に流すとともに、ドリップチャンバに接続されたオーバーフロー用チューブから吐出させてプライミングを行っていた。また、特許文献２においては、動脈側血液回路先端を静脈側血液回路に接続した後、ダイアライザに透析液を供給して、その透析膜を逆濾過した透析液と血液回路内に残存した血液とを置換しつつ、静脈側血液回路先端から残存血液を患者の体内に戻していた。
【０００３】
更に、血液浄化器が血液透析濾過（ＨＤＦ）に適用されるものであって、補液として透析液を利用したもの（以下、オンラインＨＤＦという）においては、除水分だけ患者の血液に透析液を補液（動脈側血液回路で補液する前補液と静脈側血液回路で補液する後補液とがある）する必要がある。かかるオンラインＨＤＦに適用されるものとして、特許文献３にて開示されているように、ダイアライザ、血液ポンプが配設された動脈側血液回路及び静脈側血液回路から成る血液回路と、ダイアライザに透析液を導入する透析液送液ラインと、ダイアライザから透析液を排出する透析液排液ラインと、透析液送液ラインの透析液をダイアライザを介さずに血液回路に供給するための前希釈補液ライン及び後希釈補液ラインとを有した透析装置が提案されるに至っている。
【先行技術文献】
【特許文献】
【０００４】
【特許文献１】特開２００１−２４５９７０号公報
【特許文献２】特開２００１−２５２３５２号公報
【特許文献３】特開２００１−１１２８６３号公報
【発明の概要】
【発明が解決しようとする課題】
【０００５】
しかしながら、上記従来の血液浄化装置においては、透析液を補液として使用することにより補液や他の作業（プライミング及び返血等）の自動化をある程度は図り易くし得ると思われるものの、その自動化の程度は未だ不完全なものであるという問題があった。即ち、血液浄化治療においては、プライミング、治療及び補液、返血等といった一連の作業が必要であるが、従来においては、作業者による手作業が多くの場面で必要とされたことから、これら一連の作業の自動化をより高めたいというニーズが高まりつつあった。
【０００６】
本発明は、このような事情に鑑みてなされたもので、血液浄化治療に関わる一連の作業の自動化をより高めることができる血液浄化装置を提供することにある。
【課題を解決するための手段】
【０００７】
請求項１記載の発明は、血液浄化膜を内在し、血液を導入する血液導入口及び導入した血液を導出する血液導出口が形成されるとともに、透析液を導入する透析液導入口及び導入した透析液を排出する透析液排出口が形成され、前記血液浄化膜を介して前記血液に透析液を接触させて血液を浄化する血液浄化器と、一端が前記血液浄化器の血液導入口に接続され、その途中において血液ポンプが配設された動脈側血液回路と、一端が前記血液浄化器の血液導出口に接続された静脈側血液回路と、前記血液浄化器の透析液導入口に接続され、前記血液浄化器に透析液を導入する透析液導入ラインと、前記血液浄化器の透析液排出口に接続され、前記血液浄化器から透析液を排出する透析液排出ラインとを具備し、前記透析液導入ラインの透析液を前記動脈側血液回路及び静脈側血液回路に供給し得るよう構成された血液浄化装置であって、前記動脈側血液回路又は静脈側血液回路の一部から分岐して前記透析液排出ラインまで延設され、当該動脈側血液回路又は静脈側血液回路を流れる流体を当該透析液排出ラインに導くことが可能とされたオーバーフローラインと、該オーバーフローラインの流路を任意開閉可能とされたオーバーフローライン用開閉弁手段と、前記血液ポンプ及びオーバーフローライン用開閉弁手段を予め設定されたタイミングで制御する制御手段とを備えたことを特徴とする。
【０００８】
請求項２記載の発明は、請求項１記載の血液浄化装置において、前記動脈側血液回路又は静脈側血液回路の一部であって前記オーバーフローラインの分岐部と異なる部位と前記透析液導入ラインとの間を連結し、当該透析液導入ラインの透析液を当該動脈側血液回路又は静脈側血液回路に供給可能とされた補液ラインを具備したことを特徴とする。
【０００９】
請求項３記載の発明は、請求項２に記載の血液浄化装置において、前記制御手段にて制御されるとともに、前記透析液導入ラインの透析液を前記動脈側血液回路又は静脈側血液回路に送液するための送液手段が補液ラインに配設されたことを特徴とする。
【００１０】
請求項４記載の発明は、請求項１〜３の何れか１つに記載の血液浄化装置において、前記動脈側血液回路の先端と静脈側血液回路の先端とを連結した状態で、前記透析液導入ラインの透析液を当該動脈側血液回路及び静脈側血液回路に供給し、当該透析液を前記オーバーフローラインでオーバーフローさせてプライミング工程を行わせることを特徴とする。
【００１１】
請求項５記載の発明は、請求項４記載の血液浄化装置において、前記制御手段は、前記プライミング工程時、透析液の供給速度より低い速度で前記血液ポンプを駆動させることを特徴とする。
【００１２】
請求項６記載の発明は、請求項２〜５の何れか１つに記載の血液浄化装置において、前記血液浄化器が予め内部に充填液が充填されたものを用いる場合、前記血液ポンプを駆動させて当該充填液を前記補液ラインの前記動脈側血液回路又は静脈側血液回路との連結部まで充填させた後、当該補液ラインから透析液を供給するよう前記制御手段による制御がなされることを特徴とする。
【００１３】
請求項７記載の発明は、請求項２〜６の何れか１つに記載の血液浄化装置において、前記オーバーフローライン及び補液ラインは、血液浄化装置本体内部の内部流路と当該血液浄化装置本体外部の外部流路とをそれぞれ有するとともに、当該オーバーフローラインの内部流路と外部流路とを接続するオーバーフローライン用接続ポート、及び当該補液ラインの内部流路と外部流路とを接続する補液ライン用接続ポートがそれぞれ当該血液浄化装置本体に形成されたことを特徴とする。
【００１４】
請求項８記載の発明は、請求項７記載の血液浄化装置において、前記オーバーフローラインの外部流路と前記補液ラインの外部流路とを取り外した状態における前記オーバーフローライン用接続ポートと補液ライン用接続ポートとを連結する連結手段を具備したことを特徴とする。
【００１５】
請求項９記載の発明は、請求項８記載の血液浄化装置において、前記連結手段は、前記オーバーフローライン用接続ポート及び補液ライン用接続ポートを含んで前記血液浄化装置本体側に形成された凹部と、該凹部を密閉状態で覆うことが可能な蓋部と、を有することを特徴とする。
【００１６】
請求項１０記載の発明は、請求項９記載の血液浄化装置において、前記蓋部は、揺動操作又はスライド操作により前記凹部を密閉状態で覆った位置と当該凹部を開放した位置との間で動作し得ることを特徴とする。
【００１７】
請求項１１記載の発明は、請求項８〜１０の何れか１つに記載の血液浄化装置において、前記オーバーフローライン用接続ポートと補液ライン用接続ポートとを前記連結手段で連結した状態から開放するとき、当該連結部を陰圧状態とし得る陰圧発生手段を具備したことを特徴とする。
【発明の効果】
【００１８】
請求項１の発明によれば、動脈側血液回路又は静脈側血液回路の一部から分岐して透析液排出ラインまで延設され、当該動脈側血液回路又は静脈側血液回路を流れる流体を当該透析液排出ラインに導くことが可能とされたオーバーフローラインと、該オーバーフローラインの流路を任意開閉可能とされたオーバーフローライン用開閉弁手段と、血液ポンプ及びオーバーフローライン用開閉弁手段を予め設定されたタイミングで制御する制御手段とを備えたので、血液浄化治療に関わる作業の自動化をより高めることができる。
【００１９】
請求項２の発明によれば、動脈側血液回路又は静脈側血液回路の一部であってオーバーフローラインの分岐部と異なる部位と透析液導入ラインとの間を連結し、当該透析液導入ラインの透析液を当該動脈側血液回路又は静脈側血液回路に供給可能とされた補液ラインを具備したので、例えば血液浄化器の血液浄化膜を介して透析液導入ラインから動脈側血液回路及び静脈側血液回路に透析液を供給する所謂逆濾過のものに比べ血液浄化器の膜透過性能に依存せず、透析液の供給を確実且つスムーズに行わせることができる。さらに、請求項１の発明と合わせて血液浄化治療に関わる一連の作業の自動化を実現できる。
【００２０】
請求項３の発明によれば、制御手段にて制御されるとともに、透析液導入ラインの透析液を動脈側血液回路又は静脈側血液回路に送液するための送液手段が補液ラインに配設されたので、補液ラインによる透析液の供給をより確実かつスムーズに行わせることができる。
【００２１】
請求項４の発明によれば、動脈側血液回路の先端と静脈側血液回路の先端とを連結した状態で、透析液導入ラインの透析液を当該動脈側血液回路及び静脈側血液回路に供給し、当該透析液をオーバーフローラインでオーバーフローさせてプライミング工程を行わせるので、プライミング工程の自動化を図ることができる。
【００２２】
請求項５の発明によれば、制御手段は、プライミング工程時、透析液の供給速度より低い速度で前記血液ポンプを駆動させるので、血液浄化治療前の動脈側血液回路及び静脈側血液回路に透析液を充填し、オーバーフローラインからオーバーフローさせることができるので、血液浄化器、動脈側血液回路および静脈側血液回路の洗浄および空気抜きがより確実且つ素早く行うことができる。
【００２３】
請求項６の発明によれば、血液浄化器が予め内部に充填液が充填されたものを用いる場合、血液ポンプを駆動させて当該充填液を補液ラインの動脈側血液回路又は静脈側血液回路との連結部まで充填させた後、当該補液ラインから透析液を供給するよう制御手段による制御がなされるので、プライミング工程時、動脈側血液回路又は静脈側血液回路における補液ラインとの連結部から血液浄化器までの流路内の空気が当該血液浄化器内に導入されてしまうのを回避することができる。
【００２４】
請求項７の発明によれば、オーバーフローライン及び補液ラインは、血液浄化装置本体内部の内部流路と当該血液浄化装置本体外部の外部流路とをそれぞれ有するとともに、当該オーバーフローラインの内部流路と外部流路とを接続するオーバーフローライン用接続ポート、及び当該補液ラインの内部流路と外部流路とを接続する補液ライン用接続ポートがそれぞれ当該血液浄化装置本体に形成されたので、血液浄化装置本体内部の内部流路と当該血液浄化装置本体外部の外部流路との接続を容易に行わせることができるとともに、オーバーフローライン側においては動脈側または静脈側血液回路分岐部から透析液排出ラインまでと、補液ライン側においては透析液導入ラインからオーバーフローラインとは異なる動脈側または静脈側血液回路分岐部までの間を液密性を保って接続することができる。そのため補液ラインによる透析液の供給が確実になるとともに、従来の方法でオーバーフローラインから排出される液を受けるために必要であった余液受け（透析液排出ラインから延設された大気開放系の排液受け）が不要になる。さらに血液回路等の接続構成がオンラインＨＤＦを実施する場合と同じであるため、プライミング実施後に血液回路等のつなぎ換えが不要となる（患者との接続・離脱は除く）。このように一連の作業における接続部のつなぎ換えが不要になるので自動化をより高めることが可能になる。
また一方、別の効果として内部流路と外部流路とを区切ったことで必要な補液ラインおよびオーバーフローラインを簡素化（節約）できる。即ち、従来は、血液回路とは別に透析液導入ラインから補液を導入するための、ポンプしごき部などを含む補液用回路を使わなくてはならなかったが、本発明では血液回路に当該外部流路部分に相当する補液ラインが接続されていれば足りるのである。
【００２５】
請求項８の発明によれば、オーバーフローラインの外部流路と補液ラインの外部流路とを取り外した状態における前記オーバーフローライン用接続ポートと補液ライン用接続ポートとを連結する連結手段を具備したので、当該連結手段による連結状態で、オーバーフローライン及び補液ラインにおける血液浄化装置本体内部の内部流路の洗浄又は消毒を容易に行わせることができる。
【００２６】
請求項９の発明によれば、連結手段は、オーバーフローライン用接続ポート及び補液ライン用接続ポートを含んで血液浄化装置本体側に形成された凹部と、該凹部を密閉状態で覆うことが可能な蓋部とを有するので、簡単な構成にてオーバーフローライン及び補液ラインにおける血液浄化装置本体内部の内部流路の洗浄又は消毒を行わせることができる。
【００２７】
請求項１０の発明によれば、蓋部は、揺動操作又はスライド操作により凹部を密閉状態で覆った位置と当該凹部を開放した位置との間で動作し得るので、より容易且つスムーズにオーバーフローライン及び補液ラインにおける血液浄化装置本体内部の内部流路の洗浄又は消毒を行わせることができる。
【００２８】
請求項１１の発明によれば、オーバーフローライン用接続ポートと補液ライン用接続ポートとを連結手段で連結した状態から開放するとき、陰圧発生手段にて当該連結部を陰圧状態とし得るので、当該連結部を開放したときに液が外部に漏れてしまうのを回避することができ、当該連結手段及びその近傍を清潔に保つことができる。
【図面の簡単な説明】
【００２９】
【図１】本発明の第１の実施形態に係る血液浄化装置を示す全体摸式図
【図２】同血液浄化装置を示す全体摸式図（プライミング工程）
【図３】同血液浄化装置を示す全体摸式図（プライミング工程）
【図４】同血液浄化装置を示す全体摸式図（ガスパージ工程）
【図５】同血液浄化装置を示す全体摸式図（脱血工程）
【図６】同血液浄化装置を示す全体摸式図（治療工程）
【図７】同血液浄化装置を示す全体摸式図（補液工程）
【図８】同血液浄化装置を示す全体摸式図（返血工程）
【図９】同血液浄化装置を示す全体摸式図（排液工程）
【図１０】同血液浄化装置を示す全体摸式図（洗浄工程）
【図１１】同血液浄化装置における連結手段を示す正面図
【図１２】同連結手段を示す一部断面図
【図１３】同連結手段における蓋部を開状態とした状態を示す平面図
【図１４】同連結手段を示す縦断面図
【図１５】本発明の第２の実施形態に係る血液浄化装置を示す全体摸式図
【図１６】同血液浄化装置を示す全体摸式図（プライミング工程）
【図１７】同血液浄化装置を示す全体摸式図（補液工程）
【図１８】同血液浄化装置を示す全体摸式図（返血工程）
【図１９】本発明の他の実施形態に係る血液浄化装置であって陰圧発生手段を具備したものを示す模式図
【発明を実施するための形態】
【００３０】
以下、本発明の実施形態について図面を参照しながら具体的に説明する。
第１の実施形態に係る血液浄化装置は、血液透析濾過（オンラインＨＤＦ）に適用されるものであり、図１に示すように、血液浄化器としてのダイアライザ１に動脈側血液回路２及び静脈側血液回路３が接続された血液回路Ａと、透析液導入ラインＬ１及び透析液排出ラインＬ２を有した血液浄化装置本体Ｂと、オーバーフローラインＬ３と、補液ラインＬ４と、制御手段１２とから主に構成されている。
【００３１】
ダイアライザ１は、不図示の血液浄化膜（本実施形態においては中空糸型の血液透析濾過膜であるが平膜型および血液透析膜、血液濾過膜を含む）を内在し、血液を導入する血液導入口１ａ及び導入した血液を導出する血液導出口１ｂが形成されるとともに、透析液を導入する透析液導入口１ｃ及び導入した透析液を排出する透析液排出口１ｄが形成されたもので、中空糸膜を介して血液導入口１ａから導入した血液に透析液を接触させて血液を浄化するものである。
【００３２】
動脈側血液回路２は、主に可撓性チューブから成り、一端がダイアライザ１の血液導入口１ａに接続されて患者の動脈から採取した血液をダイアライザ１の中空糸膜内に導くものである。かかる動脈側血液回路２の他端には、動脈側穿刺針ａを取り付け得るコネクタ６ａが形成されているとともに、途中に動脈側ドリップチャンバ９及び血液ポンプ８が接続されている。尚、血液ポンプ８は、しごき型のポンプ（正転させると可撓性チューブの外側から所定方向にしごいて血液を流動させる構成のもの）である。
【００３３】
静脈側血液回路３は、動脈側血液回路２と同様に主に可撓性チューブから成り、一端がダイアライザ１の血液導出口１ｂに接続されて中空糸膜内を通過した血液を導出させるものである。かかる静脈側血液回路３の他端には、静脈側穿刺針ｂを取り付け得るコネクタ６ｂが形成されているとともに、途中に静脈側ドリップチャンバ１０が接続されている。尚、動脈側血液回路２及び静脈側血液回路３の先端側（コネクタ６ａ、６ｂ近傍）には、流路を開閉するための電磁弁Ｖ１０、Ｖ１１が配設されている。
【００３４】
ダイアライザ１の透析液導入口１ｃ及び透析液排出口１ｄには、それぞれ透析液導入ラインＬ１及び透析液排出ラインＬ２が接続されており、当該透析液導入ラインＬ１を介してダイアライザ１に導入された透析液が、中空糸膜の外側を通過して透析液排出ラインＬ２から排出され得るよう構成されている。これら透析液導入ラインＬ１及び透析液排出ラインＬ２の途中には、電磁弁Ｖ１及び電磁弁Ｖ２がそれぞれ接続されている。
【００３５】
また、透析液導入ラインＬ１及び透析液排出ラインＬ２には、所定濃度に調製された透析液をダイアライザ１に供給し、当該ダイアライザ１から排出させる複式ポンプ５が接続されており、当該透析液導入ラインＬ１における複式ポンプ５と電磁弁Ｖ１との間には、濾過フィルタ４が接続されている。この濾過フィルタ４は、透析液導入ラインＬ１を流れる透析液を濾過して浄化するためのものであり、当該濾過フィルタ４からは透析液排出ラインＬ２にバイパスして透析液を導くためのバイパスラインＬ５が形成されている。
【００３６】
尚、図中符号Ｖ３は、バイパスラインＬ５の途中に配設されて流路を開閉するための電磁弁を示している。更に、透析液排出ラインＬ２には、複式ポンプ５をバイパスするバイパスラインＬ６、Ｌ７が形成されており、バイパスラインＬ６には、ダイアライザ１中を流れる患者の血液から水分を除去するための除水ポンプが配設されるとともに、バイパスラインＬ７には、電磁弁Ｖ４が配設されている。
【００３７】
オーバーフローラインＬ３は、静脈側ドリップチャンバ１０の上部（静脈側血液回路３の一部）から分岐して透析液排出ラインＬ２まで延設され、当該静脈側血液回路３を流れる流体（透析液等の流体）を当該透析液排出ラインＬ２に導くことが可能とされたものである。このオーバーフローラインＬ３は、血液浄化装置本体Ｂ内部の内部流路Ｌ３ａと当該血液浄化装置本体Ｂ外部の外部流路Ｌ３ｂとを有して成り、これら内部流路Ｌ３ａと外部流路Ｌ３ｂとは、血液浄化装置本体Ｂに形成されたオーバーフローライン用接続ポートＲ２にて接続されている。
【００３８】
更に、オーバーフローラインＬ３には、その流路を任意開閉可能とされたオーバーフローライン用開閉弁手段としての電磁弁Ｖ５（内部流路Ｌ３ａ側に配設）及び電磁弁Ｖ６（外部流路Ｌ３ｂ側であって静脈側ドリップチャンバ１０近傍に配設）が配設されている。尚、オーバーフローラインＬ３における内部流路Ｌ３ａ側には、逆止弁Ｖ９が配設されており、静脈側ドリップチャンバ１０から透析液排出ラインＬ２への流体の流れが許容されつつ、その逆方向の流体の流れが規制されている。
【００３９】
補液ラインＬ４は、動脈側血液回路２の一部であってオーバーフローラインＬ３の分岐部と異なる部位（本実施形態においては動脈側ドリップチャンバ９）と透析液導入ラインＬ１との間を連結し、当該透析液導入ラインＬ１の透析液（濾過フィルタ４で濾過されて清浄化された透析液）を当該動脈側血液回路２に供給可能とされたものである。この補液ラインＬ４は、血液浄化装置本体Ｂ内部の内部流路Ｌ４ａと当該血液浄化装置本体Ｂ外部の外部流路Ｌ４ｂとを有して成り、これら内部流路Ｌ４ａと外部流路Ｌ４ｂとは、血液浄化装置本体Ｂに形成された補液ライン用接続ポートＲ１にて接続されている。
【００４０】
更に、補液ラインＬ４には、その流路を任意開閉可能とされた電磁弁Ｖ７（内部流路Ｌ４ａ側に配設）及び電磁弁Ｖ８（外部流路Ｌ４ｂ側に配設）が配設されている。尚、補液ラインＬ４における内部流路Ｌ４ａ側には、透析液導入ラインＬ１の透析液を動脈側血液回路２に送液するための送液手段としてのポンプ７が配設されている。尚、送液手段としてのポンプ７を、補液ラインＬ４における外部流路Ｌ４ｂ側に配設するよう構成してもよい。更に、送液手段としてのポンプ７は、内部流路Ｌ４ａ上に除水ポンプのような定量型を配設するのが好ましいが、洗浄工程で洗浄できるよう構成されれば補液ラインＬ４における外部流路Ｌ４ｂ側に配設してもよい。
【００４１】
制御手段１２は、血液浄化装置本体Ｂ内に配設されたマイコン等から成り、血液ポンプ８及びオーバーフローライン用開閉弁手段としての電磁弁Ｖ５、Ｖ６を予め設定されたタイミングで制御するためのものである。然るに、本実施形態に係る制御手段１２は、血液浄化治療に関わる一連の作業を自動的に行わせるべく、血液ポンプ８及び電磁弁Ｖ５、Ｖ６の他、例えば複式ポンプ５、送液手段としてのポンプ７や除水ポンプ１１及び他の電磁弁等を制御し得るようになっている。
【００４２】
次に、上記血液浄化装置における作用（血液浄化治療及びその治療に関わる一連の作業時の作用）について説明する。
（プライミング工程）
まず、図２に示すように、コネクタ６ａ及び６ｂを接続して閉ループとした後、制御手段１２による制御にて、複式ポンプ５及びポンプ７を駆動させるとともに、血液ポンプ８を逆転駆動させる。このとき、制御手段１２による制御にて、電磁弁Ｖ１、Ｖ２を閉状態とするとともに、電磁弁Ｖ３〜Ｖ８及びＶ１０、Ｖ１１を開状態とし、更には透析液の供給速度（ポンプ７の駆動による供給速度）より低い速度で血液ポンプ８を駆動させるようになっている。これにより、透析液導入ラインＬ１の透析液（濾過フィルタ４で濾過されて清浄化された透析液）を動脈側ドリップチャンバ９を介して動脈側血液回路２に供給することができ、その供給された透析液が血液ポンプ８側の流路及びダイアライザ１側の流路をそれぞれ流通することとなる。
【００４３】
それぞれの流路を流通した透析液は、静脈側ドリップチャンバ１０を介してオーバーフローラインＬ３に至り、当該オーバーフローラインＬ３を介して透析液排出ラインＬ２に導かれることとなる。尚、ダイアライザ１がドライタイプのもの（予め充填液等が充填されていないもの）である場合、同図に示すように、その血液導出口１ｂを上方に向けた状態としてエア抜きを良好にするのが好ましい。
【００４４】
また、予め内部に充填液が充填されたダイアライザ１（所謂ウェットタイプのもの）を用いる場合、血液ポンプ８を駆動（本実施形態においては逆転駆動）させて当該充填液を補液ラインＬ４の動脈側血液回路２との連結部（本実施形態においては動脈側ドリップチャンバ９）まで充填させた後、当該補液ラインＬ４から透析液を供給するよう制御手段１２による制御がなされるのが好ましい。これにより、プライミング工程時、動脈側血液回路２における補液ラインＬ４との連結部からダイアライザ１（血液浄化器）までの流路内の空気が当該ダイアライザ１内に導入されてしまうのを回避することができる。
【００４５】
その後、図３に示すように、複式ポンプ５及びポンプ７の駆動を維持するとともに血液ポンプ８を正転駆動させる。これにより、動脈側血液回路２及び静脈側血液回路３を流れる透析液は一方向に流れることとなり、その透析液が静脈側ドリップチャンバ１０を介してオーバーフローラインＬ３に至り、当該オーバーフローラインＬ３を介して透析液排出ラインＬ２に導かれることとなる。このとき、血液ポンプ８を停止させた状態としてもよい。上記にてプライミング工程が終了し、続いてガスパージ工程が行われる。
【００４６】
（ガスパージ工程）
ガスパージ工程は、ダイアライザ１における透析液導入口１ｃと透析液排出口１ｄとの間の流路に透析液を充填させる工程であり、図４に示すように、、制御手段１２による制御にて、複式ポンプ５を駆動させるとともに、ポンプ７及び血液ポンプ８を停止させた状態とする。このとき、電磁弁Ｖ１、Ｖ２を開状態とするとともに、電磁弁Ｖ３、Ｖ５、Ｖ６及びＶ８を閉状態とする。尚、他の電磁弁の開閉状態は維持されているが、電磁弁Ｖ７を閉状態としてもよい。
【００４７】
（脱血工程）
ガスパージ工程が終了した後、図５に示すように、コネクタ６ａ、６ｂの接続を解除してそれぞれに動脈側穿刺針ａ静脈側穿刺針ｂを取り付けるとともに、それら動脈側穿刺針ａ及び静脈側穿刺針ｂを患者の体（シャント等）に穿刺する。然るに、制御手段１２による制御にて、除水ポンプ１１及び血液ポンプ８を正転駆動させるとともに、複式ポンプ５及びポンプ７を停止させた状態とする。このとき、電磁弁Ｖ１及びＶ４を閉状態とするとともに、電磁弁Ｖ３、Ｖ５、Ｖ６及びＶ８の閉状態及び他の電磁弁の開状態を維持する。
【００４８】
例えば、除水ポンプ１１を１００（ｍＬ／ｍｉｎ）の流量で駆動させるとともに、血液ポンプ８を５０（ｍＬ／ｍｉｎ）の流量で駆動させれば、動脈側穿刺針ａ及び静脈側穿刺針ｂからそれぞれ５０（ｍＬ／ｍｉｎ）の流量で血液を吸引し、動脈側と静脈側の両方で同時に脱血することができる。かかる脱血工程により、プライミング工程で動脈側血液回路２及び静脈側血液回路３に充填された透析液がダイアライザ１に導かれ、当該透析液と置換するように患者の血液で満たされることとなるので、透析液を患者の体内に流入させることなくその後の血液浄化治療を行わせることができる。
【００４９】
（血液浄化治療工程）
脱血工程により動脈側血液回路２及び静脈側血液回路３に充填された透析液がダイアライザ１に全て導かれ、血液と置換した状態とされた後、血液浄化治療が行われることとなる。かかる血液浄化治療は、図６に示すように、制御手段１２による制御にて、電磁弁Ｖ１、Ｖ２、Ｖ７、Ｖ８、Ｖ１０、Ｖ１１を開状態とするとともに、電磁弁Ｖ３、Ｖ４、Ｖ５及びＶ６を閉状態とし、複式ポンプ５、除水ポンプ１１、ポンプ７及び血液ポンプ８を駆動（血液ポンプ８においては正転駆動）させる。
【００５０】
これにより、ポンプ５の駆動により、所定濃度に調製された透析液を透析液導入ラインＬ１を介してダイアライザ１に供給するとともに、血液ポンプ８を正転駆動させて、動脈側血液回路２から静脈側血液回路３へ血液を体外循環させる。その過程において、ダイアライザ１による透析が行われるのである。また、ポンプ７の駆動により、補液ラインＬ４を介して動脈側血液回路２側に透析液が供給されることとなり、ダイアライザ１に至る前の血液を透析液で希釈することとなる。
【００５１】
（補液工程）
上記の如き血液浄化治療中において、患者の血圧が急激に下がったりした場合、補液工程（緊急補液）を行うことがある。かかる補液工程は、図７に示すように、制御手段１２による制御にて、電磁弁Ｖ１、Ｖ２を閉状態とするとともに、電磁弁Ｖ３を開状態とする。これにより、透析液導入ラインＬ１を流れる透析液は、専ら補液ラインＬ４を介して動脈側血液回路２の動脈側ドリップチャンバ９に至ることとなり、補液がなされることとなる。尚、このとき、除水ポンプ１１は停止している。補液速度、補液量は、ポンプ７の駆動および制御手段１２によって制御される。
【００５２】
（返血工程）
血液浄化治療工程が終了した後、動脈側血液回路２及び静脈側血液回路３内の血液を患者の体内に戻す返血工程が行われる。かかる返血工程は、図８に示すように、制御手段１２による制御にて、電磁弁Ｖ１、Ｖ２を閉状態とするとともに、電磁弁Ｖ３、Ｖ４を開状態とし、複式ポンプ５、ポンプ７の駆動を維持させておく。また、血液ポンプ８は、逆転駆動させるとともに、その駆動速度は、透析液の供給速度（ポンプ７による透析液の供給速度）より低く設定されている。
【００５３】
例えば、ポンプ７を１００（ｍＬ／ｍｉｎ）の流量で駆動させるとともに、血液ポンプ８を５０（ｍＬ／ｍｉｎ）の流量で逆転駆動させれば、動脈側穿刺針ａ及び静脈側穿刺針ｂからそれぞれ５０（ｍＬ／ｍｉｎ）の流量で血液を返血でき、動脈側と静脈側の両方で同時に返血することができる。かかる返血の終了の判断は、例えば動脈側血液回路２の先端側（動脈側穿刺針ａ近傍）及び静脈側血液回路３の先端側（静脈側穿刺針ｂ近傍）のそれぞれに配設された血液判別器による検知でなされるのが好ましい。
【００５４】
（排液工程）
返血工程が終了した後、ダイアライザ１、動脈側血液回路２及び静脈側血液回路３内の透析液をダイアライザ１及び透析液排出ラインＬ２を介して透析液排出ラインＬ２に導き、外部に排出する排液工程がなされる。かかる排液工程は、動脈側穿刺針ａ及び静脈側穿刺針ｂを患者から抜き取った後に行われるもので、図９に示すように、制御手段１２による制御にて、除水ポンプ１１及び血液ポンプ８を正転駆動させるとともに、複式ポンプ５及びポンプ７を停止させた状態とする。このとき、電磁弁Ｖ１及びＶ４を閉状態とするとともに、電磁弁Ｖ３、Ｖ５、Ｖ６及びＶ８の閉状態及び他の電磁弁の開状態を維持する。
【００５５】
例えば、除水ポンプ１１を１００（ｍＬ／ｍｉｎ）の流量で駆動させるとともに、血液ポンプ８を５０（ｍＬ／ｍｉｎ）の流量で駆動させれば、動脈側穿刺針ａ及び静脈側穿刺針ｂからそれぞれ５０（ｍＬ／ｍｉｎ）の流量で空気を吸引し、動脈側と静脈側の両方で同時に排液することができる。かかる排液工程により、返血工程でダイアライザ１、動脈側血液回路２及び静脈側血液回路３に充填された透析液がダイアライザ１及び透析液排出ラインＬ２を介して外部に排出されるので、ダイアライザ１、動脈側血液回路２及び静脈側血液回路３の廃棄を容易に行わせることができる。
【００５６】
（洗浄工程）
透析液導入ラインＬ１及び透析液排出ラインＬ２からダイアライザ１、動脈側血液回路２及び静脈側血液回路３（オーバーフローラインＬ３における外部流路Ｌ３ｂ、及び補液ラインＬ４の外部流路Ｌ４ｂ含む）を取り外した状態において、図１０で示すように、カプラ等で構成される短絡手段１３にて透析液導入ラインＬ１と透析液排出ラインＬ２とを連結して短絡させるとともに、連結手段１４により、オーバーフローライン用接続ポートＲ２と補液ライン用接続ポートＲ１とを連結する。
【００５７】
そして、制御手段１２による制御にて、電磁弁Ｖ１、Ｖ２、Ｖ４、Ｖ５、Ｖ７を開状態とするとともに、電磁弁Ｖ３を閉状態とし、複式ポンプ５、除水ポンプ１１、ポンプ７を駆動させる。このとき、透析液導入ラインＬ１に洗浄水や消毒液を流すことにより、血液浄化装置本体Ｂ内の配管（オーバーフローラインＬ３における内部流路Ｌ３ａ、及び補液ラインＬ４の内部流路Ｌ４ａ含む）を洗浄又は消毒することができる。
【００５８】
かかる連結手段１４は、図１１〜１４で示すように、オーバーフローライン用接続ポートＲ２及び補液ライン用接続ポートＲ１を含んで血液浄化装置本体Ｂ側に形成された凹部１５ａと、揺動軸１４ａを中心に揺動可能とされて該凹部１５ａを密閉状態で覆うことが可能な蓋部１６と、凹部１５ａが形成されるとともに血液浄化装置本体Ｂに固定される連結手段本体１５とを有する。尚、連結手段本体１５の開口縁部（凹部１５ａの周縁）であって蓋部１６の縁部と当接する部位には、シール材２０が形成されており、蓋部１６で凹部１５ａを覆った状態でシール可能とされている。
【００５９】
而して、蓋部１６は、揺動軸１４ａを中心とした揺動操作により凹部１５ａを密閉状態で覆った位置と当該凹部１５ａを開放した位置との間で動作し得るよう構成されている。尚、本実施形態においては、蓋部１６が揺動操作され得るよう構成されているが、スライド操作により凹部１５ａを密閉状態で覆った位置と当該凹部１５ａを開放した位置との間で動作し得るよう構成してもよい。
【００６０】
尚、連結手段１４には、図１２に示すように、その蓋部１６側に形成された揺動軸１７を中心として揺動自在とされたロック手段１９が配設されており、当該ロック手段１９には、指等を当てて操作可能な被操作部１９ｂと、先端の爪部１９ａとが形成されている。然るに、被操作部１９ｂを押圧操作してロック手段１９を揺動させることにより、先端の爪部１９ａが連結手段本体１５に形成された棒状部材１８に係止又は離間されるよう構成されている。これにより、ロック手段１９の操作にて蓋部１６を閉塞状態にてロック又はそのロックを解除させることができる。
【００６１】
更に、連結手段１４における凹部１５ａの底面は、図１４に示すように、補液ライン用接続ポートＲ１からオーバーフローライン用接続ポートＲ２に向かって傾斜しており、当該補液ライン用接続ポートＲ１から凹部１５ａ内に導入された透析液を、オーバーフローライン用接続ポートＲ２までスムーズに流動させ、当該凹部１５ａ内で滞留してしまうのを回避し得るよう構成されている。
【００６２】
次に、本発明の第２の実施形態について説明する。
本実施形態に係る血液浄化装置は、第１の実施形態と同様、血液透析濾過（オンラインＨＤＦ）に適用されるものであり、図１５に示すように、血液浄化器としてのダイアライザ１に動脈側血液回路２及び静脈側血液回路３が接続された血液回路Ａと、透析液導入ラインＬ１及び透析液排出ラインＬ２を有した血液浄化装置本体Ｂと、オーバーフローラインＬ３と、補液ラインＬ４と、制御手段１２とから主に構成されている。
【００６３】
本実施形態に係る補液ラインＬ４は、静脈側血液回路３の一部であってオーバーフローラインＬ３の分岐部（具体的には、静脈側ドリップチャンバ１０）と異なる部位（連結部位Ｐ１）と透析液導入ラインＬ１との間を連結し、当該透析液導入ラインＬ１の透析液を当該静脈側血液回路３に供給可能とされたものである。この補液ラインＬ４と静脈側血液回路３との連結部は、例えばＴ字管等が配設され、当該Ｔ字管にて両者を連結するよう構成するのが好ましい。
【００６４】
かかる構成により、静脈側血液回路３を流れる血液に対して透析液導入ラインＬ１からの透析液を混入、希釈して、その後、患者に戻すことが可能とされている。即ち、第１の実施形態のものが、ダイアライザ１に導入される前の血液に対して透析液を混入して希釈するもの（所謂、前補液と称されるもの）であるのに対し、本実施形態においては、ダイアライザ１に導入された後の血液に対して透析液を混入して希釈するもの（所謂、後補液と称されるもの）とされているのである。
【００６５】
以下に、第２の実施形態に係る血液浄化装置の作用（血液浄化治療及びその治療に関わる一連の作業時の作用）について説明する。尚、ガスパージ工程、脱血工程、補液工程、排液工程、及び洗浄工程については、第１の実施形態と作用上相違するところがあまりないため、それらの説明は省略する。
（プライミング工程）
第１の実施形態と同様、図１６に示すように、コネクタ６ａ及び６ｂを接続して閉ループとした後、制御手段１２による制御にて、複式ポンプ５及びポンプ７を駆動させるとともに、血液ポンプ８を逆転駆動させる。このとき、制御手段１２による制御にて、電磁弁Ｖ１、Ｖ２を閉状態とするとともに、電磁弁Ｖ３〜Ｖ８及びＶ１０、Ｖ１１を開状態とし、更には透析液の供給速度（ポンプ７の駆動による供給速度）より低い速度で血液ポンプ８を駆動させるようになっている。
【００６６】
これにより、透析液導入ラインＬ１の透析液（濾過フィルタ４で濾過されて清浄化された透析液）を連結部位Ｐ１を介して静脈側血液回路３に供給することができ、その供給された透析液がダイアライザ１側の流路及び静脈側ドリップチャンバ１０側の流路をそれぞれ流通することとなる。それぞれの流路を流通した透析液は、静脈側ドリップチャンバ１０を介してオーバーフローラインＬ３に至り、当該オーバーフローラインＬ３を介して透析液排出ラインＬ２に導かれることとなる。その後、第１の実施形態と同様、複式ポンプ５及びポンプ７の駆動を維持するとともに血液ポンプ８を正転駆動させる。
【００６７】
（血液浄化治療工程）
脱血工程（第１の実施形態参照）により動脈側血液回路２及び静脈側血液回路３に充填された透析液がダイアライザ１に全て導かれ、血液と置換した状態とされた後、血液浄化治療が行われることとなる。かかる血液浄化治療は、図１７に示すように、制御手段１２による制御にて、電磁弁Ｖ１、Ｖ２、Ｖ７、Ｖ８、Ｖ１０、Ｖ１１を開状態とするとともに、電磁弁Ｖ３、Ｖ４、Ｖ５及びＶ６を閉状態とし、複式ポンプ５、除水ポンプ１１、ポンプ７及び血液ポンプ８を駆動（血液ポンプ８においては正転駆動）させる。
【００６８】
これにより、ポンプ５の駆動により、所定濃度に調製された透析液を透析液導入ラインＬ１を介してダイアライザ１に供給するとともに、血液ポンプ８を正転駆動させて、動脈側血液回路２から静脈側血液回路３へ血液を体外循環させる。その過程において、ダイアライザ１による透析が行われるのである。また、ポンプ７の駆動により、補液ラインＬ４を介して静脈側血液回路３側に透析液が供給されることとなり、ダイアライザ１に至った後の血液に透析液が混入、希釈されることとなる。
【００６９】
（返血工程）
血液浄化治療工程が終了した後、ダイアライザ１、動脈側血液回路２及び静脈側血液回路３内の血液を患者の体内に戻す返血工程が行われる。かかる返血工程は、図１８に示すように、制御手段１２による制御にて、電磁弁Ｖ１、Ｖ２を閉状態とするとともに、電磁弁Ｖ３、Ｖ４を開状態とし、複式ポンプ５、ポンプ７の駆動を維持させておく。また、血液ポンプ８は、逆転駆動させるとともに、その駆動速度は、透析液の供給速度（ポンプ７による透析液の供給速度）より低く設定されている（第１の実施形態参照）。
【００７０】
上記第１、第２の実施形態から分かるように、補液ラインＬ４は、動脈側血液回路２又は静脈側血液回路３の一部であってオーバーフローラインＬ３の分岐部と異なる部位であれば、動脈側血液回路２及び静脈側血液回路３の何れに接続されていてもよい。また、上記第１、第２の実施形態においては、オーバーフローラインＬ３が静脈側ドリップチャンバ１０に接続されているが、静脈側血液回路３の何れかの部位に接続してもよく、或いは動脈側血液回路２の何れかの部位に接続するよう構成してもよい。
【００７１】
而して、上記第１、第２の実施形態によれば、動脈側血液回路２又は静脈側血液回路３の一部から分岐して透析液排出ラインＬ２まで延設され、当該動脈側血液回路２又は静脈側血液回路３を流れる流体（透析液）を当該透析液排出ラインＬ２に導くことが可能とされたオーバーフローラインＬ３と、該オーバーフローラインＬ３の流路を任意開閉可能とされた電磁弁Ｖ５、Ｖ６（オーバーフローライン用開閉弁手段）と、血液ポンプ８及び電磁弁Ｖ５、Ｖ６を予め設定されたタイミングで制御する制御手段１２とを備えたので、血液浄化治療に関わる一連の作業の自動化をより高めることができる。
【００７２】
また、動脈側血液回路２又は静脈側血液回路３の一部であってオーバーフローラインＬ３の分岐部と異なる部位と透析液導入ラインＬ１との間を連結し、当該透析液導入ラインＬ１の透析液を当該動脈側血液回路２又は静脈側血液回路３に供給可能とされた補液ラインＬ４を具備したので、例えばダイアライザ１（血液浄化器）の血液浄化膜を介して透析液導入ラインＬ１から動脈側血液回路２及び静脈側血液回路３に透析液を供給する所謂逆濾過のものに比べ、透析液の供給を確実且つスムーズに行わせることができる。
【００７３】
更に、制御手段１２にて制御されるとともに、透析液導入ラインＬ１の透析液を動脈側血液回路２又は静脈側血液回路３に送液するためのポンプ７（送液手段）が補液ラインＬ４に配設されたので、補液ラインＬ４による透析液の供給をより確実かつスムーズに行わせることができる。また、動脈側血液回路２の先端と静脈側血液回路３の先端とを連結した状態で、透析液導入ラインＬ１の透析液を当該動脈側血液回路２及び静脈側血液回路３に供給し、当該透析液をオーバーフローラインＬ３でオーバーフローさせてプライミング工程を行わせるので、プライミング工程の自動化を図ることができる。
【００７４】
また更に、制御手段１２は、プライミング工程時、透析液の供給速度より低い速度で血液ポンプ８を駆動させるので、血液浄化治療前の動脈側血液回路２及び静脈側血液回路３に透析液をより確実且つ素早く充填し、オーバーフローラインＬ３でオーバーフローさせることができる。即ち、透析液の供給速度より低い速度で血液ポンプ８を駆動させることにより、２つの流路（例えば、ダイアライザ１を通過する流路と通過しない流路）を透析液がそれぞれ流れることとなり、当該透析液の確実且つ素早い充填を可能としているのである。
【００７５】
然るに、オーバーフローラインＬ３及び補液ラインＬ４は、血液浄化装置本体Ｂ内部の内部流路（Ｌ３ａ、Ｌ４ａ）と当該血液浄化装置本体Ｂ外部の外部流路（Ｌ３ｂ、Ｌ４ｂ）とをそれぞれ有するとともに、当該オーバーフローラインＬ３の内部流路Ｌ３ａと外部流路Ｌ３ｂとを接続するオーバーフローライン用接続ポートＲ２、及び当該補液ラインＬ４の内部流路Ｌ４ａと外部流路Ｌ４ｂとを接続する補液ライン用接続ポートＲ１がそれぞれ当該血液浄化装置本体Ｂに形成されたので、血液浄化装置本体Ｂ内部の内部流路（Ｌ３ａ、Ｌ４ａ）と当該血液浄化装置本体Ｂ外部の外部流路（Ｌ３ｂ、Ｌ４ｂ）との接続を容易に行わせることができる。
【００７６】
また、オーバーフローラインＬ３の外部流路Ｌ３ｂと補液ラインＬ４の外部流路Ｌ４ｂとを取り外した状態におけるオーバーフローライン用接続ポートＲ２と補液ライン用接続ポートＲ１とを連結する連結手段１４を具備したので、当該連結手段１４による連結状態で、オーバーフローラインＬ３及び補液ラインＬ４における血液浄化装置本体Ｂ内部の内部流路（Ｌ３ａ、Ｌ４ａ）の洗浄又は消毒を容易に行わせることができる。
【００７７】
更に、連結手段１４は、オーバーフローライン用接続ポートＲ２及び補液ライン用接続ポートＲ１を含んで血液浄化装置本体Ｂ側に形成された凹部１５ａと、該凹部１５ａを密閉状態で覆うことが可能な蓋部１６とを有するので、当該蓋部１６で凹部１５ａを覆うといった比較的簡単な構成にてオーバーフローライン用接続ポートＲ２及び補液ライン用接続ポートＲ１を連結させることができ、オーバーフローラインＬ３及び補液ラインＬ４における血液浄化装置本体Ｂ内部の内部流路（Ｌ３ａ、Ｌ４ａ）の洗浄又は消毒を行わせることができる。
【００７８】
また更に、蓋部１６は、揺動操作（又はスライド操作）により凹部１５ａを密閉状態で覆った位置と当該凹部１５ａを開放した位置との間で動作し得るので、より容易且つスムーズにオーバーフローラインＬ３及び補液ラインＬ４における血液浄化装置本体Ｂ内部の内部流路（Ｌ３ａ、Ｌ４ａ）の洗浄又は消毒を行わせることができる。尚、蓋部１６を別体とし、オーバーフローライン用接続ポートＲ２と補液ライン用接続ポートＲ１とを連結させる際に当該蓋部１６を凹部１５ａ上に取り付けて当該凹部１５ａを密閉する構成のものとしてもよい。
【００７９】
更に他の実施形態として、図１９に示すように、オーバーフローライン用接続ポートＲ２と補液ライン用接続ポートＲ１とを連結手段１４で連結した状態から開放するとき、当該連結部（凹部１５ａ）を陰圧状態とし得る陰圧発生手段２１を具備させてもよい。この場合、以下の如き使用形態とされる。即ち、オーバーフローライン用接続ポートＲ２と補液ライン用接続ポートＲ１とを連結手段１４で連結した状態で血液浄化装置内部の内部流路を洗浄または消毒を行った後、次の血液浄化治療の準備を行うには当該連結状態を解除し、新たな外部流路を接続することになる。このとき、連結部分には洗浄または消毒の液が残留しており、何も行わずに連結部分を開放すると液が外部に漏れる可能性がある。これを防止するために連結部分に対する陰圧発生手段２１（ポンプより構成される）を設けているのである。
【００８０】
上記の如き陰圧発生手段２１を具備させるものに代えて、以下の如き構成とすることができる。即ち、連結の開放に先立って送液手段としてのポンプ７を停止する。連結手段１４は、透析液排出ラインＬ２よりも鉛直方向に高い位置に配設し、落差による位置エネルギを利用する。送液手段としてのポンプ７の停止、陰圧発生手段２１の制御は、連結手段１４の開閉に連動するよう制御手段１２によって行うようにするのが好ましい。
【００８１】
以上、本実施形態について説明したが、本発明はこれらに限定されるものではなく、例えば補液ラインＬ４を形成せず、透析液導入ラインＬ１の透析液を逆濾過にて血液回路（動脈側血液回路２及び静脈側血液回路３）に供給する血液浄化装置に適用してもよい。即ち、血液浄化治療中以外で透析液を血液回路に供給する場合、補液ラインＬ４による透析液の供給に代え、ダイアライザ１に透析液を供給して、その透析膜を逆濾過した透析液を血液回路中に流すことができるのである。
【００８２】
また、本実施形態においては、オーバーフローラインＬ３の内部流路Ｌ３ａと外部流路Ｌ３ｂとのそれぞれに電磁弁Ｖ５、Ｖ６（オーバーフローライン用開閉弁手段）が配設されているが、何れか一方のみ配設するようにしてもよい。同様に、本実施形態においては、補液ラインＬ４の内部流路Ｌ４ａと外部流路Ｌ４ｂとのそれぞれに電磁弁Ｖ７、Ｖ８が配設されているが、何れか一方のみ配設するようにしてもよい。
【産業上の利用可能性】
【００８３】
動脈側血液回路又は静脈側血液回路の一部から分岐して透析液排出ラインまで延設され、当該動脈側血液回路又は静脈側血液回路を流れる流体を当該透析液排出ラインに導くことが可能とされたオーバーフローラインと、該オーバーフローラインの流路を任意開閉可能とされたオーバーフローライン用開閉弁手段と、血液ポンプ及びオーバーフローライン用開閉弁手段を予め設定されたタイミングで制御する制御手段とを備えた血液浄化装置であれば、他の構成及び機能が付加されたもの等にも適用することができる。
【符号の説明】
【００８４】
１  ダイアライザ（血液浄化器）
２  動脈側血液回路
３  静脈側血液回路
４  濾過フィルタ
５  複式ポンプ
６ａ、６ｂ  コネクタ
７  ポンプ（送液手段）
８  血液ポンプ
９  動脈側ドリップチャンバ
１０  静脈側ドリップチャンバ
１１  除水ポンプ
１２  制御手段
１３  短絡手段
１４  連結手段
１５  連結手段本体
１５ａ  凹部
１６  蓋部
１７  揺動軸
１８  棒状部材
１９  ロック手段
２０  シール材
Ｒ１  補液ライン用接続ポート
Ｒ２  オーバーフローライン用接続ポート
Ｌ１  透析液導入ライン
Ｌ２  透析液排出ライン
Ｌ３  オーバーフローライン
Ｌ３ａ  内部流路
Ｌ３ｂ  外部流路
Ｌ４  補液ライン
Ｌ４ａ  内部流路
Ｌ４ｂ  外部流路
Ｖ５、Ｖ６  電磁弁（オーバーフローライン用開閉弁手段）
Ａ  血液回路
Ｂ  血液浄化装置本体
【図１】
2010184029.tif 000003
【図２】
2010184029.tif 000004
【図３】
2010184029.tif 000005
【図４】
2010184029.tif 000006
【図５】
2010184029.tif 000007
【図６】
2010184029.tif 000008
【図７】
2010184029.tif 000009
【図８】
2010184029.tif 000010
【図９】
2010184029.tif 000011
【図１０】
2010184029.tif 000012
【図１１】
2010184029.tif 000013
【図１２】
2010184029.tif 000014
【図１３】
2010184029.tif 000015
【図１４】
2010184029.tif 000016
【図１５】
2010184029.tif 000017
【図１６】
2010184029.tif 000018
【図１７】
2010184029.tif 000019
【図１８】
2010184029.tif 000020
【図１９】
2010184029.tif 000021